(57)【要約】【課題】充填機等において、連続的に連なって搬送されている容器群のうちその連なりの途中以降の容器群を停止させた際に、停止させない容器群の末尾の容器がその前の容器から離れてしまうことを防止する。【解決手段】連続的に連なってコンベア６の搬送経路を所定の搬送方向に移動している容器群のうちその連なりの途中以降の容器群１０ｓを停止させ及び停止させた容器群１０ｓの移動を再開させる制御部材１１と、容器群１０ｓを停止させ及び停止させた容器群１０ｓの移動を再開させるように制御部材１１を駆動する駆動部１３とを備える。制御部材１１は、容器群１０ｓを停止させる際に、その停止させる容器群１０ｓの搬送方向側の容器群である停止させない容器群１０ｎｓの末尾の容器１０ｅ１を搬送方向に押し出す押出構造１１ｂを有する。【選択図】図６
2005119796.tif 000002
【特許請求の範囲】
【請求項１】
容器の搬送及び停止を制御する容器制御装置であって、
連続的に連なって搬送経路を所定の搬送方向に移動している容器群のうちその連なりの途中以降の容器群を停止させ、及び、停止させた容器群の移動を再開させる制御部材と、
容器群を停止させるように、及び、停止させた容器群の移動を再開させるように前記制御部材を駆動する駆動部と、
を備え、前記制御部材は、容器群を停止させる際に、停止させる容器群の前記搬送方向側の容器群である停止させない容器群の末尾の容器を前記搬送方向に押し出す押出構造を有する、
ことを特徴とする容器制御装置。
【請求項２】
前記制御部材は、容器と係合する螺旋状の係合部を側面の少なくとも一部に有し、前記搬送経路に対してほぼ平行な軸を中心として回転可能に配置され、
前記駆動部は、前記軸を中心として前記制御部材を回転又は回動させることにより容器群の停止及び停止させた容器群の移動の再開を制御し、
前記押出構造は、連なった容器群の途中以降の容器群を停止させる際に、停止させない容器群の末尾の容器が前記制御部材の回転又は回動に伴って前記搬送方向に押し出されるように構成されていることを特徴とする請求項１に記載の容器制御装置。
【請求項３】
前記螺旋状の係合部のうち最も前記搬送方向側の部分は、連なった容器群の途中以降の容器群を停止させる際に、停止させない容器群の末尾の容器の前側部分を塞ぐことなく該容器の後側部分を前記搬送方向に押し出すように構成されていることを特徴とする請求項２に記載の容器制御装置。
【請求項４】
前記駆動部は、前記螺旋状の係合部を容器に係合させた状態で前記制御部材を静止させることにより容器を停止させることを特徴とする請求項２又は請求項３に記載の容器制御装置。
【請求項５】
容器は、コンベアによって前記搬送経路に沿って搬送され、
前記螺旋状の係合部は、前記制御部材の側面の一部にのみ設けられており、
前記駆動部は、前記コンベアによる容器の搬送を許すときは、前記制御部材の側面のうち前記螺旋状の係合部が設けられていない部分が前記搬送経路の側部に向くように前記制御部材を回動させ、前記コンベアによる容器の搬送を遮断するときは、前記螺旋状の係合部が前記搬送経路の側部を向くように前記制御部材を回動させその状態で前記制御部材を静止させることにより容器を停止させることを特徴とする請求項２又は請求項３に記載の容器制御装置。
【請求項６】
前記駆動部は、前記制御部材を回動させて容器群を停止させる際に、前記係合部間の歯部が容器間に挿入されるタイミングで前記制御部材を回動させることを特徴とする請求項５に記載の容器制御装置。
【請求項７】
前記駆動部は、前記コンベアによる容器の搬送を遮断する際に、最初は速い回転速度で前記制御部材を回動させ、その後、徐々に回転速度を低下させながら前記制御部材を静止させることを特徴とする請求項５又は請求項６に記載の容器制御装置。
【請求項８】
前記螺旋状の係合部は、前記制御部材の側面にその全周にわたって設けられており、
前記駆動部は、容器群を搬送するときは、前記螺旋状の係合部を容器に係合させながら前記制御部材を連続的に回転させ、容器群を停止させるときは、前記螺旋状の係合部が容器に係合した状態で前記制御部材の回転を止めることを特徴とする請求項２又は請求項３に記載の容器制御装置。
【請求項９】
前記制御部材は、第１の軸を中心とする円筒面を有する部材の前記円筒面に対してその全周にわたって螺旋状の係合部を形成し、その後、前記第１の軸からずれた第２の軸を中心とする円筒面内の部分を切り出して得られる形状と実質的に同一の形状を有することを特徴とする請求項２乃至請求項７のいずれか１項に記載の容器制御装置。
【請求項１０】
前記第２の軸を中心とする円筒面は、前記切り出しにより前記制御部材の側面の係合部が部分的になくなるように決定された半径を有することを特徴とする請求項９に記載の容器制御装置。
【請求項１１】
前記搬送経路の下流側には容器を対象として所定の処理をする処理装置のタイミングスクリューが配置され、前記制御部材は、前記タイミングスクリューに容器を供給するか否かを制御するために使用されることを特徴とする請求項１乃至請求項１０のいずれか１項に記載の容器制御装置。
【請求項１２】
前記駆動部は、前記タイミングスクリューに対する容器の供給を停止した後に該供給を再開する際に、前記タイミングスクリューに対して適正に容器が供給されるタイミングで前記制御部材を回転又は回動させることを特徴とする請求項１１に記載の容器制御装置。
【請求項１３】
前記処理装置は、容器に液体を充填する充填装置を含むことを特徴とする請求項１１又は請求項１２に記載の容器制御装置。
【請求項１４】
容器を取り扱う製造関連設備であって、
容器を対象として所定の処理をする処理装置と、
前記処理装置に容器を搬送する搬送経路と、
前記搬送経路上で容器の搬送及び停止を制御する容器制御装置とを備え、
前記容器制御装置は、
連続的に連なって前記搬送経路を所定の搬送方向に移動している容器群のうちその連なりの途中以降の容器群を停止させ、及び、停止させた容器群の移動を再開させる制御部材と、
容器群を停止させ、及び、停止させた容器群の移動を再開させるように前記制御部材を駆動する駆動部とを備え、
前記制御部材は、容器群を停止させる際に、その停止させる容器群の前記搬送方向側の容器群である停止させない容器群の末尾の容器を前記搬送方向に押し出す押出構造を有する、
ことを特徴とする製造関連設備。
【請求項１５】
前記処理装置は、容器に液体を充填する充填装置を含むことを特徴とする請求項１４に記載の製造関連設備。
【発明の詳細な説明】
【技術分野】
【０００１】
本発明は、容器制御装置及び製造関連設備に係り、特に、容器の搬送及び停止を制御する容器制御装置及び該容器制御装置を含む製造関連設備に関する。
【背景技術】
【０００２】
缶にビール等の液体を充填する充填装置（フィラー）がある。充填装置の運転時は、該充填装置に対してコンベアにより缶群が連続的に供給される。一方、充填作業を停止する時は、コンベアの搬送経路上を連続的に搬送されている缶群をストッパにより停止させる。
【０００３】
図１は、従来の充填装置及び缶停止装置を概略的に示す図である。缶１０は、ガイド部材４ａ及び４ｂによってガイドされながら、コンベア６により搬送経路に沿って連続的に搬送される。タイミングスクリュー３及びスターホイール２は、充填部１と同期しながら回転している。タイミングスクリュー３には、円筒状の缶１０の側面に係合する螺旋状の係合部（他の観点で表現すると、歯部或いは凸部）が全周にわたって設けられている。缶１０がタイミングスクリュー３の上流側端部付近に到達すると、缶１０は螺旋状の係合部に係合してタイミングスクリュー３の回転に合わせてスターホイール２の方向に搬送される。このとき、缶１０がスターホイール２の半円状に窪んだ係合部内に渡されるように、タイミングスクリュー３とスターホイール２との同期が取られている。
【０００４】
タイミングスクリュー３（充填部１）に対する缶１０の供給を停止する必要が生じた際は、対向配置された一対のストッパ部材（缶停止装置）５ａ及び５ｂにより缶１０を挟み込むことにより、缶１０の搬送を強制的に停止させることができる。この状態において、典型的には、コンベア６は継続して稼働しており、そのため、ストッパ部材５ａ及び５ｂによって挟み込まれて停止している缶１０及びそれに続く缶１０には、コンベア６との間に摩擦力が働く。
【０００５】
なお、ストッパ部材５ａ及び５ｂの双方が缶１０側に押し出されることにより缶１０を挟み込む機構の他、一方のみが缶１０側に押し出されることにより缶１０を挟み込む機構もある。
【０００６】
本発明に関連する特許出願として、本出願と同一出願人及び同一発明者に係る特願２００２−１８６３８９号、特願２００２−１８６３９０号、特願２００２−１８６３９１号がある。これらの出願は、いずれも本出願の出願時点において未公開である。
【発明の開示】
【発明が解決しようとする課題】
【０００７】
上記のような従来の缶停止装置には種々の問題点がある。以下、これらのうち代表的な問題点を説明する。
【０００８】
まず、図２に示すように、連続的に連なった状態でコンベア６により搬送経路に沿って搬送方向に移動している缶１０群のうちその連なりの途中以降の缶群１０ｓをストッパ部材５ａ及び５ｂにより停止させると仮定する。停止させる缶群１０ｓの搬送方向側の缶群（すなわち、停止させない缶群）１０ｎｓの末尾の缶１０ｅ１は、後続の缶がないために、後続の缶から押し圧を受けることがない。したがって、移動し続ける缶群１０ｎｓの末尾の缶１０ｅ１は、図２に示すように、その前の缶１０ｅ２から離れてしまう場合がある。このような現象は、特に、末尾の缶１０ｅ１が中途半端にストッパ部材５ａ、５ｂによって挟まれて停止しかけた後にコンベア６の動きに従って再び動き出した場合や、末尾になりうる缶１０ｅ１が一端停止された後にストッパ部材５ａ、５ｂの間から抜け出した場合に起こりうる。
【０００９】
移動し続ける缶群１０ｎｓの末尾の缶１０ｅ１は、その前の缶１０ｅ２との間に常に適切な距離（例えば、缶１０の直径の整数倍）が維持されるだけではないので、タイミングスクリュー３に対して誤ったタイミングで供給されうる。これにより、例えば図３に模式的に示すように、タイミングスクリュー３に形成された螺旋状の歯部が缶１０ｅ１の胴部に食い込み缶１０ｅ１が変形もしくは破損する可能性がある。缶１０ｅ１の破損によって破片が発生しそれが搬送経路に残ると、後続の缶に傷や凹みを与える原因となりうる他、タイミングスクリュー３やその下流側の機構に入り込んで動作不良を起こす原因となりうる。
【００１０】
また、上記の缶停止装置では、ストッパ部材５ａ、５ｂによる挟み込みにより缶１０がほぼ瞬間的に停止状態にされるので、この停止時に過大な力が缶１０に加わり、場合によっては缶１０が変形しうる。
【００１１】
更に、別の観点からみると、従来の停止装置では、缶の搬送を再開（或いは開始）する際にタイミングスクリュー３の回転角度を考慮しないので、缶１０が誤ったタイミングでタイミングスクリュー３に供給されうる。この場合においても、例えば図４に模式的に示すように、先頭の缶１０やそれに続く缶１０がタイミングスクリュー３の螺旋状の歯部によって変形もしくは破損させられる可能性がある。
【００１２】
本発明は、上記の問題に鑑みてなされたものであり、その主たる目的は、例えば、連続的に連なって搬送されている容器群のうちその連なりの途中以降の容器群を停止させた際に、停止させない容器群の末尾の容器がその前の容器から離れてしまうことを防止することにある。そして、本発明は、好ましくは、更に、停止させるべき容器群を確実に停止させること、搬送中の容器を比較的緩やかに停止させること、又は、容器の破損もしくは変形を抑えることを意図している。
【課題を解決するための手段】
【００１３】
本発明の１つの側面は、容器の搬送及び停止を制御する容器制御装置に係り、該装置は、連続的に連なって搬送経路を所定の搬送方向に移動している容器群のうちその連なりの途中以降の容器群を停止させ及び停止させた容器群の移動を再開させる制御部材と、容器群を停止させるように及び停止させた容器群の移動を再開させるように前記制御部材を駆動する駆動部とを備え、前記制御部材は、容器群を停止させる際に、停止させる容器群の前記搬送方向側の容器群である停止させない容器群の末尾の容器を前記搬送方向に押し出す押出構造を有することを特徴とする。このように、容器群を停止させる際にその下流側を進む停止させない容器群の末尾の容器を前記搬送方向に押し出すことにより、該末尾の容器がその前の容器から離れてしまうことが防止される。これにより、例えば、停止させない容器群については、全てが連なった状態で搬送されうる。
【００１４】
本発明の好適な実施形態によれば、前記制御部材は、容器と係合する螺旋状の係合部を側面の少なくとも一部に有し、前記搬送経路に対してほぼ平行な軸を中心として回転可能に配置され、前記駆動部は、前記軸を中心として前記制御部材を回転又は回動させることにより容器群の停止及び停止させた容器群の移動の再開を制御し、前記押出構造は、連なった容器群の途中以降の容器群を停止させる際に、停止させない容器群の末尾の容器が前記制御部材の回転又は回動に伴って前記搬送方向に押し出されるように構成されることが好ましい。このように制御部材の側面の少なくとも一部に容器と係合する螺旋状の係合部を形成することにより、容器の搬送を停止させる必要があるときに容器を確実に停止させることができる。また、制御部材を回転又は回動させることにより容器の搬送及び停止を制御することにより、例えば、容器が螺旋状の係合部に沿って移動しながら搬送状態から停止状態に至るので、容器は比較的緩やかに停止される。また、搬送を停止しない容器群の末尾の容器を制御部材の回転又は回動に伴って搬送方向に押出す構成によれば、押出構造を簡単化することができる。
【００１５】
ここで、前記螺旋状の係合部のうち最も前記搬送方向側の部分は、連なった容器群の途中以降の容器群を停止させる際に、停止させない容器群の末尾の容器の前側部分を塞ぐことなく該容器の後側部分を前記搬送方向に押し出すように構成されることが好ましい。
【００１６】
本発明の好適な実施の形態によれば、前記駆動部は、前記螺旋状の係合部を容器に係合させた状態で前記制御部材を静止させることにより容器を停止させることができる。
【００１７】
本発明の好適な応用例によれば、容器は、コンベアによって前記搬送経路に沿って搬送され、前記螺旋状の係合部は、前記制御部材の側面の一部にのみ設けられており、前記駆動部は、前記コンベアによる容器の搬送を許すときは、前記制御部材の側面のうち前記螺旋状の係合部が設けられていない部分が前記搬送経路の側部に向くように前記制御部材を回動させ、前記コンベアによる容器の搬送を遮断するときは、前記螺旋状の係合部が容器に係合するように前記制御部材を回動させその状態で前記制御部材を静止させることにより容器を停止させる。ここで、前記駆動部は、前記制御部材を回動させて螺旋状の係合部を容器に係合させる際に、前記係合部間の歯部が容器間に挿入されるタイミングで前記制御部材を回動させることが好ましい。これにより、例えば、制御部材の歯部が容器の胴部等に食い込むことによる容器の損傷を効果的に抑えることができる。また、前記駆動部は、前記コンベアによる容器の搬送を遮断する際に、最初は速い回転速度で前記制御部材を回動させ、その後、徐々に回転速度を低下させながら前記制御部材を静止させることが好ましい。これにより、搬送中の缶を緩やかに停止させることができる。
【００１８】
本発明の他の好適な実施の形態によれば、前記螺旋状の係合部は、前記制御部材の側面にその全周にわたって設けられてもよい。この場合、前記駆動部は、容器を搬送するときは、前記螺旋状の係合部を容器に係合させながら前記制御部材を連続的に回転させ、容器を停止させるときは、前記螺旋状の係合部が容器に係合した状態で前記制御部材の回転を止めればよい。
【００１９】
本発明の好適な実施の形態によれば、前記制御部材は、次のような形状、すなわち、第１の軸を中心とする円筒面を有する部材の前記円筒面に対してその全周にわたって螺旋状の係合部を形成し、その後、前記第１の軸からずれた第２の軸を中心とする円筒面内の部分を切り出して得られる形状と実質的に同一の形状を有することが好ましい。ここで、前記第２の軸を中心とする円筒面は、前記切り出しにより前記制御部材の側面の係合部が部分的になくなるように決定された半径とすることができる。
【００２０】
本発明の好適な応用例によれば、例えば、前記搬送経路の下流側には容器を対象として所定の処理をする処理装置のタイミングスクリューが配置され、前記制御部材は、前記タイミングスクリューに容器を供給するか否かを制御するために使用される。ここで、前記駆動部は、前記タイミングスクリューに対する容器の供給を停止した後に該供給を再開する際に、前記タイミングスクリューに対して適正に容器が供給されるタイミングで前記制御部材を回転又は回動させることが好ましい。これにより、タイミングスクリューの歯部が容器の胴部等に食い込むことによる容器の損傷を効果的に抑えることができる。
【００２１】
本発明の好適な応用例によれば、前記処理装置は、例えば、容器に液体を充填する充填装置を含む。
【００２２】
本発明の他の側面は、容器を取り扱う製造関連設備に係り、該製造関連設備は、容器を対象として所定の処理をする処理装置と、前記処理装置に容器を搬送する搬送経路と、前記搬送経路上で容器の搬送及び停止を制御する容器制御装置とを備える。前記容器制御装置は、連続的に連なって前記搬送経路を所定の搬送方向に移動している容器群のうちその連なりの途中以降の容器群を停止させ及び停止させた容器群の移動を再開させる制御部材と、容器群を停止させ及び停止させた容器群の移動を再開させるように前記制御部材を駆動する駆動部とを備える。前記制御部材は、容器群を停止させる際に、その停止させる容器群の前記搬送方向側の容器群である停止させない容器群の末尾の容器を前記搬送方向に押し出す押出構造を有する。ここで、製造関連設備とは、例えば、製造工程（例えば、ビールの製造工程）、処理工程、検査工程等の各種の工程において、容器を取り扱うあらゆる設備を含む用語であるものとする。前記処理装置には、例えば、容器に液体を充填する充填装置などが含まれうる。
【発明の効果】
【００２３】
本発明によれば、例えば、連続的に連なって搬送されている容器群のうちその連なりの途中以降の容器群を停止させた際に、停止させない容器群の末尾の容器がその前の容器から離れてしまうことを防止することができる。
【発明を実施するための最良の形態】
【００２４】
以下、添付図面を参照しながら本発明の好適な実施の形態を説明する。
【００２５】
なお、以下では、本発明の容器制御装置を缶の搬送及び停止を制御する装置に適用した例を説明するが、本発明は、缶以外の容器（例えば、瓶、ペットボトル等）の搬送及び停止を制御する装置にも適用することができる。また、以下では、缶にビール等の液体を充填する充填装置に対して缶を供給するための搬送経路に容器制御装置を配置した例を説明するが、本発明は、充填装置以外の処理装置（例えば、瓶等の容器にラベルを貼るラベリング装置、缶や瓶等の容器を検査する検査装置等）に容器を供給するための搬送経路に配置して用いることもできる。
【００２６】
図５及び図６は、本発明の好適な実施形態の容器制御装置及びその適用例（缶にビール等の液体を充填するための製造関連設備）を示す図である。図５は、充填装置に対して缶を供給している状態を示し、図６は、充填装置に対する缶の供給を容器制御装置により停止させている状態を示している。
【００２７】
この実施形態では、容器制御装置１００は、缶１０にビール等の液体を充填する充填装置に対して缶を搬送するための搬送経路に配置されている。充填装置は、例えば、充填部１、スターホイール２及びタイミングスクリュー３等で構成されている。
【００２８】
缶１０群は、連続的に連なった状態でガイド部材４ａ及び４ｂ等によってガイドされながら、コンベア６により搬送経路（符号”６”を付した部分）に沿って搬送される。タイミングスクリュー３及びスターホイール２は、缶１０に液体を充填するための充填部１と同期しながら回転している。モータ１６によって回転駆動されるタイミングスクリュー３には、円筒状の缶１０の側面（胴部）に係合する螺旋状の係合部（他の観点で表現すると、係合部と係合部との間の歯部或いは凸部）が全周にわたって設けられている。缶１０がタイミングスクリュー３の上流側端部付近に到達すると、缶１０が螺旋状の係合部に係合してタイミングスクリュー３の回転に合わせてスターホイール２の方向（下流方向）に搬送される。ここで、缶１０がスターホイール２の半円筒状に窪んだ係合部に渡されるように、タイミングスクリュー３とスターホイール２との同期が取られている。
【００２９】
缶１０を搬送経路に沿ってタイミングスクリュー３（充填部１）に供給する際は、図５に示すように、容器制御装置１００の半スクリュー型の制御部材１１は、コンベア６による缶１０の搬送を阻害しないように、すなわち、螺旋状の係合部が形成されていない面（搬送用ガイド面）１１ｐが搬送経路（或いは缶１０の胴部）に向けられた状態になるように駆動部（例えば、ステッピングモータ）１３によって回動され、その状態が維持される。この状態では、制御部材１１は、缶１０の搬送をガイドするガイド部材として機能しうる。
【００３０】
タイミングスクリュー３（充填部１）に対する缶１０の供給を停止する必要が生じた際は、半スクリュー型の制御部材１１は、駆動部１３により、その螺旋状の係合部１１ｒが缶１０の円筒面に係合するように、典型的には１８０度回動される。図６は、図５に示す状態から制御部材１１を１８０度回動させた状態を示している。制御部材１１の回動によって、連続的に連なった缶１０群のうち、制御部材１１の係合部１１ｒに係合する缶１０とその後続の缶１０からなる缶群１０ｓが停止させられる。
【００３１】
制御部材１１は、缶群１０ｓを停止させる際に、缶群１０ｓから見て搬送方向側にある缶群（停止させない缶群）１０ｎｓの末尾の缶１０ｅ１を搬送方向に押し出す押出構造１１ｂを有する。押出構造１１ｂは、缶群１０ｓを停止させる際に、停止させない缶群１０ｎｓの末尾の缶１０ｅ１が制御部材１１の回動に伴って搬送方向に押し出されるように構成されうる。このような制御部材１１の具体的な構成例については後述する。
【００３２】
駆動部１３による制御部材１１の回動動作は、搬送中の缶１０と缶１０の間に制御部材１１の螺旋状の係合部と係合部の間の歯部或いは凸部が挿入されるように、すなわち、缶１０の円筒面に対して係合部の面が適合するように、制御される。このとき、停止させるべき缶１０は、制御部材１１に設けられた螺旋状の歯部によって搬送方向への移動が規制されるので、駆動部１３が制御器３０から缶１０の搬送の再開（開始）の指令を受けて制御部材１１を搬送可能状態に戻さない限り、制御部材１１から抜けて下流側に移動することはない。
【００３３】
また、この回動動作に伴って、缶１０は、制御部材１１の螺旋状の係合部（或いは歯部）に沿って移動しながら搬送状態（搬送速度）から停止状態に至るので、比較的に緩やかに停止される。このような効果を更に高めるために、缶１０を停止させる際、駆動部１３は、回動動作の初期においてはコンベア６による搬送速度と概ね等しい速度で缶１０が移動するような回転速度で制御部材１１を回動させ、その後、徐々に制御部材１１の回転速度を低下させながら回動動作を停止（これにより、缶１０も停止する）させることが好ましい。
【００３４】
上記のような制御部材１１の回動動作のタイミング制御は、例えば、１又は複数のセンサ２０により缶１０が所定位置を通過するタイミングを計測しながら、制御器３０（図５にのみ図示）がその計測結果に基づいて駆動部１３を制御することによりなされる。この際、制御器３０は、制御部材１１の回転角度を検出する検出器（例えば、ロータリーエンコーダ）１２の出力に基づいて駆動部１３をフィードバック制御してもよい。
【００３５】
センサ２０は、例えばフォトインタラプタによって構成することができる。典型的には、缶１０は、上部及び下部の径が絞られているので、図９に示すように隣り合う缶１０の間の上部及び下部には隙間１０ｇが生じる。この実施の形態では、隣り合う缶１０の間の上部に形成される隙間１０ｇが所定位置を通過するタイミングを検出するようにフォトインタラプタの光路を配置している。この検出結果に対して所定の補正演算を施すことにより、例えば缶１０の先端部分や中心部分等の缶１０の任意の部分が任意の位置（例えば、制御部材１１を基準とする所定の位置、より具体的には、制御部材１１の回動角度が所定角度であるときにおける制御部材１１の歯部の位置）を通過するタイミングを演算することができる。
【００３６】
タイミングスクリュー３（充填部１）に対して缶１０を供給し続けている間は、当然に缶１０はコンベア６により搬送方向に搬送され続けるので、駆動部１３による制御部材１１の駆動は、制御系の遅れによる誤差が生じないようになされる。
【００３７】
センサ２０は、また、缶１０の搬送異常を検出するためにも利用されうる。例えば、缶１０が正常に搬送されているのであれば得られるであろうセンサ２０の出力（例えば、波形変化、或いは、隙間１０ｇの周期的な検出）が得られない場合には、缶１０の搬送異常があるものと判断することができる。このような異常が検出された場合、制御器３０は、例えば、警報を発する他、装置の全体又は一部を停止状態にすることができる。
【００３８】
更に、停止されていた缶１０の供給の再開タイミングについては、回転しているタイミングスクリュー３の回転角度、もしくは、タイミングスクリュー３の全周にわたって形成された螺旋状の歯部の位置を考慮すべきである。より具体的には、制御部材１１が缶１０の搬送を再開させ、その停止されていた先頭の缶１０が搬送経路を通ってタイミングスクリュー３に至った時に、タイミングスクリュー３に形成された螺旋状の歯部が缶１０に食い込まないように、制御部材１１を駆動すべきである。
【００３９】
この実施形態では、タイミングスクリュー３の回転角度を検出する検出器（例えば、ロータリーエンコーダ）１５を備えており、検出器１５による検出結果に基づいて、タイミングスクリュー３に対して適正なタイミングで缶１０が供給されるように、制御器３０が駆動部１３を制御する。すなわち、制御部材１１は、検出器１５による検出結果に基づいて、タイミングスクリュー３に対して適正なタイミングで缶１０が供給されるように、コンベア６による缶１０の搬送を阻害しない角度（すなわち、図５に示す状態）に回動される。このような制御は、タイミングスクリュー３と制御部材１１との距離、コンベア６による搬送速度、タイミングスクリュー３の回転速度、制御部材１１の回動速度、制御系の遅れ等のパラメータを考慮してなされうる。
【００４０】
次に、図７を参照しながら缶の搬送及び停止を制御するための制御部材１１の好ましい形状の一例を説明する。図７の（ａ）、（ｂ）は、それぞれ缶１０の搬送を停止させた状態における制御部材１１の側面図、平面図である。なお、図７（ａ）、（ｂ）に示す状態においては、実際には、搬送が停止されない容器群の末尾の缶１０ｅ１は、押出構造１１ｂによって押し出されるとともにコンベア６によって搬送方向に搬送されているが、図７（ａ）、（ｂ）には、説明上に都合により缶１０ｅ１も示している。
【００４１】
本発明の好適な実施の形態の制御部材１１は、缶１０の搬送経路に対して平行に配置される軸１１ａを中心として回転可能に支持される。制御部材１１は、側面の一部（すなわち、全周のうち一部）に、断面において半円状に窪んだ螺旋状の係合部１１ｒ（及び係合部１１ｒ間の歯部１１ｔ）が形成され、該側面の他の一部には概ね円筒面状或いは直線状の搬送用ガイド面１１ｐが形成されている。
【００４２】
螺旋状の係合部１１ｒのうち最も搬送方向側の部分（図７において最も左側の部分）すなわち押出構造１１ｂは、缶群１０ｓを停止させる際に、停止させる缶群１０ｎｓの末尾の缶１０ｅ１の前側部分（すなわち、搬送方向側の部分）を塞ぐことがないように、換言すると、前側部分を歯部１１ｔで遮ることがないように構成されている。そして、押出構造１１ｂは、缶群１０ｓを停止させる際に、停止させる缶群１０ｎｓの末尾の缶１０ｅ１の後側部分を制御部材１１の回動に伴って矢印Ａ方向に押し出すように構成されている。
【００４３】
ここで、螺旋状の係合部１０ｒを制御部材１１の全周にわたって形成することもできる。この場合は、缶１０の搬送時に缶１０の移動を阻害しないように、制御部材１１を搬送経路から遠ざけるか、制御部材１１をタイミングスクリュー３（或いは缶１０の搬送速度）に同期させて連続回転させればよい。そして、この場合においても、上記のような押出部１１ｂが制御部材１１に設けられうる。
【００４４】
更に、螺旋状の係合部１１ｒを制御部材１１の全周にわたって形成する場合には、タイミングスクリュー３の代わりに制御部材１１を設けてもよい。
【００４５】
或いは、タイミングスクリュー３が制御部材１１の機能を代用するように、スターホイール２に対して缶１０を供給する際にはタイミングスクリュー３を連続回転させ、供給を停止する際にはタイミングスクリュー３の回転を停止させてもよい。この場合は、例えば、タイミングスクリュー３、スターホイール２、充填部１の動作タイミングを考慮する必要がある。
【００４６】
図８は、制御部材１１の好ましい形状の一例を別の観点で示した図である。図８は、制御部材１１をその軸方向の無限遠から見た概念図である。この実施の形態の制御部材１１は、例えば、中心線Ｃ１を中心とする半径ｒ１の円柱状部材に深さ（ｒ１−ｒ２）の係合部（好適には、中心線Ｃ１を通る平面で切断した断面図において半円状に窪んだ係合部）を螺旋状に形成し、その後、その係合部が形成された円柱状部材から、中心線Ｃ１からずれた中心線Ｃ２を中心とする半径ｒ３の円筒面内の部分を切り出して得られる形状（すなわち、係合部が形成された円柱状部材から斜線部を削り取って得られる形状）を有する。この場合、図中右側には、概ね円筒面状、或いは直線状の搬送用ガイド面１１ｐが形成され、図中左側には、深さ（ｒ１−ｒ２）の係合部が形成される。ここで、図８に示す例では、中心線Ｃ１と中心線Ｃ２との距離が（ｒ３−ｒ２）で、半径ｒ１の円と半径ｒ３の円が図中左側で接している。
【００４７】
本発明の好適な実施の形態では、例えば、中心線Ｃ１（制御部材１１の中心線Ｃ２から偏心した線）を回転中心１１ａとして駆動部１３により回転又は回動駆動する。
【図面の簡単な説明】
【００４８】
【図１】従来の充填装置及び缶停止装置を概略的に示す図である。
【図２】連なった缶群の途中以降の缶群を停止させる際に、停止させない缶群の末尾の缶がその前の缶から離れてしまう様子を模式的に示す図である。
【図３】停止させない缶群の末尾の缶がタイミングスクリューに到達したときに起こりうる問題を模式的に示す図である。
【図４】缶の供給の再開時（或いは開始時）におけるタイミングスクリューに対する缶の供給タイミングに関する問題を模式的に示す図である。
【図５】本発明の好適な実施の形態の製造関連設備（缶の供給時）を示す図である。
【図６】本発明の好適な実施の形態の製造関連設備（缶の停止時）を示す図である。
【図７】缶の搬送及び停止を制御するための制御部材の構造を示す図である。
【図８】缶の搬送及び停止を制御するための制御部材の構造を示す図である。
【図９】缶の位置を検出するための原理を説明するための図である。
【符号の説明】
【００４９】
１  充填部
２  スターホイール
３  タイミングスクリュー
４ａ、４ｂ  ガイド部材
５ａ、５ｂ  ストッパ部材
６  コンベア（搬送経路）
１０、缶
１０ｓ  停止させる缶群
１０ｎｓ  停止させない缶群
１０ｅ１  停止させない缶群の末尾の缶
１０ｅ２  停止させない缶群の末尾の缶の前の缶
１０ｇ  缶と缶の間の隙間
１１  制御部材
１１ａ  軸
１１ｂ  押出構造
１１ｐ  搬送用ガイド面
１１ｒ  係合部
１１ｔ  歯部（凸部）
１２  検出器（例えば、ロータリーエンコーダ）
１３  駆動器（例えば、ステッピングモータ）
１５  検出器（例えば、ロータリーエンコーダ）
１６  モータ
２０  センサ
３０  制御器
【図１】
2005119796.tif 000003
【図２】
2005119796.tif 000004
【図３】
2005119796.tif 000005
【図４】
2005119796.tif 000006
【図５】
2005119796.tif 000007
【図６】
2005119796.tif 000008
【図７】
2005119796.tif 000009
【図８】
2005119796.tif 000010
【図９】
2005119796.tif 000011